(57)【要約】【課題】  泥塩水に混合する泥や砂、潤滑油に混合する鉄粉などの各種異物が、タンク内に均等に拡散され、タンク底にこれらが沈殿しないようにする。【解決手段】  タンク12の形状を、回転羽根18の回転軸線と同軸状の円筒形とし、回転羽根18とタンク12との間のすきまを最少とすることにより、異物の沈殿を防止する。【選択図】  図１
2007014837.tif 000002
【特許請求の範囲】
【請求項１】
試験液を収容するタンクと、タンク内の試験液を攪拌するための羽根とを具備し、タンクの内周壁面を羽根の回転軸線と同軸状の円筒形としたことを特徴とする軸受試験機用攪拌装置。
【請求項２】
羽根とタンクの底面との間にすきまを形成し、前記すきまを０を越え約１０ｍｍ以下としたことを特徴とする請求項１の軸受試験機用攪拌装置。
【請求項３】
羽根とタンクの内周壁面との間にすきまを形成し、前記すきまを０を越え約１０ｍｍ以下としたことを特徴とする請求項１の軸受試験機用攪拌装置。
【請求項４】
羽根を回転させるための駆動軸が貫通する穴の開口部近傍に、羽根の回転軸線に対して半径方向に延在したつば状の仕切り板を設けたことを特徴とする請求項１ないし３のいずれかの軸受試験機用攪拌装置。
【発明の詳細な説明】
【技術分野】
【０００１】
この発明は軸受試験機用攪拌装置、より詳しくは、シール付き軸受のシール性能確認のための泥塩水試験用タンクや、潤滑油中に鉄粉などの異物を混合させる油潤滑の軸受耐久試験に使用するタンクの攪拌機構に関する。
【背景技術】
【０００２】
従来、図３および図４に示すように、立方形もしくは直方形のタンク３８と円盤形攪拌羽根４２とで構成される攪拌装置が知られている。タンク３８の蓋４０にモータ４６が取り付けてあり、そのモータ４６の主軸をタンク３８内に垂下させ、攪拌羽根４２の軸４４と結合させてある。
【０００３】
特開平１１−２３４２２号公報には、泥水の攪拌を、ポンプの吸い込み（段落番号０００７）またはバイパス配管から直接戻された泥水（段落番号００１１）で行うようにした軸受の試験装置が記載されている。
【０００４】
特開平８−１４１３８０号公報には、泥水の攪拌を、スクリュー（段落番号０００４）もしくはパイプの穴から吐出される泡（段落番号０００４）またはポーラス体より吐出される気泡で行うようにした潤滑油中の異物を攪拌する装置が記載されている。
【０００５】
特開２００３−３８９４６号公報には、浄水システムに関してではあるが、プロペラ式の攪拌羽根（段落番号０００２）に代えて、抜き穴を有する平板状の上羽根と上昇水流を起こす下羽根とにより、攪拌槽内に乱気流を発生させて泥水の攪拌を行うことが記載されている（段落番号０００７）。また、反応槽の泥水の攪拌手段として、モータによって回転する攪拌羽根が紹介されている（段落番号００１５）。
【特許文献１】特開平１１−２３４２２号公報（段落番号０００７、００１１、図１）
【特許文献２】特開平８−１４１３８０号公報（段落番号０００４、図２、図３）
【特許文献３】特開２００３−３８９４６号公報（段落番号０００２、０００７、００１５、図１、図４、図６）
【発明の開示】
【発明が解決しようとする課題】
【０００６】
図３および図４に示した従来の構造では、タンク３８の四隅や攪拌羽根４２の中心部直下に異物が溜まって、異物の沈殿ができてしまう。
【０００７】
特許文献１乃至３に記載された従来の技術は、いずれも、試験停止時に沈殿した異物を攪拌する力に乏しく、大きな異物を攪拌する力に乏しいといった問題がある。
【０００８】
本発明の課題は、泥塩水に混合する泥や砂、潤滑油に混合する鉄粉などの各種異物が、タンク内に均等に拡散され、タンク底にこれらが沈殿しないようにすることである。
【課題を解決するための手段】
【０００９】
本発明は、タンクの形状を、回転羽根の回転軸線と同軸状の円筒形とし、回転羽根とタンクとの間のすきまを最少とすることにより、異物の沈殿を防止するようにしたものである。すなわち、本発明による軸受試験機用攪拌装置は、試験液を収容するタンク１２と、タンク１２内の試験液を攪拌するための羽根２２とを具備し、タンク１２の内周壁面を羽根２２の回転軸線と同軸状の円筒形としたことを特徴とする。
【００１０】
タンク１２の底面と羽根２２との間のすきま、および、タンク１２の内周壁面と羽根２２との間のすきまを、０を越え約１０ｍｍ以下とするのが好ましい（請求項２、請求項３）。タンク１２の底面と羽根２２との間のすきま、および、タンク１２の内周壁面と羽根２２との間にすきまがないとタンク１２に著しい摩耗が発生する。つまり、タンク１２と羽根２２との間に異物が食い込み、タンク１２の底面や内周壁面が削られて摩耗する。なお、羽根の材質は、ステンレス、アルミなどの金属からナイロン、アクリル、ゴムなどの樹脂まで、混合液に侵されないものであれば、あらゆる材質を採用することができる。また、タンク１２の底面と羽根２２との間のすきま、および、タンク１２の内周壁面と羽根２２との間のすきまが約１０ｍｍを越えると異物の沈殿が発生しやすくなる。
【００１１】
試験液の飛沫から羽根駆動用機器を保護するため、羽根２２を回転させるための駆動軸が貫通する穴２０の開口部近傍に、羽根２２の回転軸線に対して半径方向に延在したつば状の仕切り板３４を設けてもよい。羽根駆動用機器としては、モータ３６、エアシリンダ、油圧駆動式ロータリアクチュエータ等が挙げることができる。
【発明の効果】
【００１２】
本発明によれば、タンク１２内における異物の沈殿が防止される。したがって、本発明の軸受試験機用攪拌装置では、異物を均等に拡散させた混合液を供給することが可能となった。
【発明を実施するための最良の形態】
【００１３】
以下、図面に従って本発明の実施の形態を説明する。
【００１４】
図１および図２に示すように、軸受試験機用攪拌装置は、タンク１２と、羽根２２と、羽根２２を回転させる駆動用機器としてのモータ３６を主要な構成要素としている。
【００１５】
図１から分るように、タンク１２の内周壁面は羽根２２の回転軸線と同軸状の円筒形状である。タンク１２は上端にて開口しており、その開口端部にパッキン１４を介して蓋１６を取り外し可能に締結してある。タンク１２内の液は蓋１６に形成された貫通穴１８を通じて取り出され、各種の軸受試験に用いられる。蓋１６は中央部にもう一つの貫通穴２０を有し、この貫通穴２０にモータ３６の主軸を挿入してタンク１２内部に垂下させてある。モータ３６の主軸と羽根２２の軸３０とはカップリング３２によって同軸に結合してある。カップリング３２には仕切り板３４が設けてある。仕切り板３４は試験液の飛沫を遮断して、羽根駆動用機器ここではモータ３６を保護するためのもので、モータ３６の主軸が貫通する蓋１６の貫通穴２０の開口部近傍に位置し、羽根２２の回転軸線に対して半径方向に延在するつば状を呈している。なお、羽根駆動用機器としては、モータ３６のほか、エアシリンダ、油圧駆動式ロータリアクチュエータ等を採用することも可能である。
【００１６】
図示する実施の形態では二枚の羽根２２があり、各羽根２２は、ボス２４に固定したブラケット２６ｂに当て板２８を介してボルト止めしてある。各羽根２２は軸３０の半径方向に、かつ、軸３０の軸線と平行に延在している場合を例示してあるが、多少角度をなしてもよい。また、羽根２２の数は１枚でもよく、あるいは、３枚以上を放射状に配置することもできる。羽根２２とタンク１２の底面との間、羽根２２とタンク１２の内周壁面との間には、それぞれ、すきまが形成されている。すきまの上限は約１０ｍｍとする。
【図面の簡単な説明】
【００１７】
【図１】本発明の実施の形態を示す軸受試験装置の横断面図である。
【図２】図１の装置の縦断面図である。
【図３】従来の技術を示す軸受試験装置の横断面図である。
【図４】図３の装置の縦断面図である。
【符号の説明】
【００１８】
１２  タンク
１４  パッキン
１６  蓋
１８  貫通穴
２０  貫通穴
２２  回転羽根
２４  ボス
２６  ブラケット
２８  当て板
３０  軸
３２  カップリング
３４  仕切り板
３６  モータ
【図１】
2007014837.tif 000003
【図２】
2007014837.tif 000004
【図３】
2007014837.tif 000005
【図４】
2007014837.tif 000006